(57)【要約】 【課題】  耐衝撃性に優れたバックライトアセンブリを提供する。【解決手段】  バックライトアセンブリは、底部及び側部で構成され収納空間を形成する収納容器２００、底部に結合される少なくとも一つのランプ固定部材３００、ランプ固定部材に固定される複数のランプ４００を含む。ランプ固定部材は、ランプの長手方向に沿って形成された２個以上のランプ挿入口を有する。ランプ固定部材は、拡散板を支持するための拡散板支持部を更に含む。ランプ固定部材は、収納容器との結合のための結合部を更に含む。このように、ランプを固定するためのランプ固定部のランプ挿入口を２個以上形成することにより、衝撃によるランプ破損を防止することができる。【選択図】    図１
2006185889.tif 000002
【特許請求の範囲】
【請求項１】
底部及び側部で構成され収納空間を形成する収納容器と、
前記底部に結合される少なくとも一つのランプ固定部材と、
前記ランプ固定部材に固定される複数のランプと、を含み、
前記ランプ固定部材は、前記ランプの長手方向に沿って形成された２個以上のランプ挿入口を有する少なくとも一つのランプ固定部を含むバックライトアセンブリ。
【請求項２】
前記ランプ固定部は２個のランプ挿入口を含み、前記２個のランプ挿入口は前記ランプの長手方向に沿って所定距離で離隔するように形成されることを特徴とする請求項１記載のバックライトアセンブリ。
【請求項３】
前記ランプの上部に配置され前記ランプから発生した光を拡散させる拡散板を更に含むことを特徴とする請求項１記載のバックライトアセンブリ。
【請求項４】
前記ランプ固定部材は、前記拡散板を支持するための拡散板支持部を更に含むことを特徴とする請求項３記載のバックライトアセンブリ。
【請求項５】
前記拡散板支持部は、前記ランプ固定部の間に配置されることを特徴とする請求項４記載のバックライトアセンブリ。
【請求項６】
前記ランプ固定部材は、前記底部との結合のための結合部を更に含むことを特徴とする請求項１記載のバックライトアセンブリ。
【請求項７】
前記結合部は、前記底部とフック結合されることを特徴とする請求項６記載のバックライトアセンブリ。
【請求項８】
前記ランプ固定部材は、複数のものが用いられ、前記ランプの長手方向と垂直な方向に沿ってジグザグ形態で配置されることを特徴とする請求項１記載のバックライトアセンブリ。
【請求項９】
前記ランプと前記収納容器との間に配置された反射板を更に含むことを特徴とする請求項１記載のバックライトアセンブリ。
【請求項１０】
底部及び側部で構成され収納空間を形成する収納容器と、
前記底部に固定される少なくとも一つのランプ固定部材と、
前記ランプ固定部材に固定される複数のランプと、を含み、
前記ランプ固定部材は、前記底部方向に開口部が向くように形成されたランプ挿入口を有する少なくとも一つのランプ固定部を含むバックライトアセンブリ。
【請求項１１】
前記ランプ挿入口は、前記底部と所定距離で離隔することを特徴とする請求項１０記載のバックライトアセンブリ。
【請求項１２】
前記ランプ固定部は、前記ランプの長手方向に沿って所定距離で離隔するように形成された２個以上のランプ挿入口を含むことを特徴とする請求項１０記載のバックライトアセンブリ。
【請求項１３】
前記ランプの上部に配置され前記ランプから発生した光を拡散させる拡散板を更に含むことを特徴とする請求項１０記載のバックライトアセンブリ。
【請求項１４】
前記ランプ固定部材は、前記拡散板を支持するための拡散板支持部を更に含むことを特徴とする請求項１３記載のバックライトアセンブリ。
【請求項１５】
前記ランプ固定部材は、前記ランプ固定部が前記底部と所定距離で離隔するように前記底部と結合される結合部を更に含むことを特徴とする請求項１０記載のバックライトアセンブリ。
【請求項１６】
前記ランプ固定部材は、透明な材質で構成されることを特徴とする請求項１０記載のバックライトアセンブリ。
【請求項１７】
前記ランプ固定部材は、複数のものが用いられ、前記ランプの長手方向と垂直な方向に沿ってジグザグ形態で配置されることを特徴とする請求項１０記載のバックライトアセンブリ。
【請求項１８】
底部及び側部を含む収納容器、前記底部に結合される少なくとも一つのランプ固定部材、及び前記ランプ固定部材に固定される複数のランプを含むバックライトアセンブリと、
前記バックライトアセンブリから供給される光を用いて画像を表示する液晶表示パネルと、を含み、
前記ランプ固定部材は、前記ランプの長手方向に沿って所定距離で離隔するように形成された２個以上のランプ挿入口を有する少なくとも一つのランプ固定部を含む液晶表示装置。
【請求項１９】
前記バックライトアセンブリは、前記ランプの上部に配置された拡散板を更に含み、
前記ランプ固定部材は、前記拡散板を支持する拡散板支持部を更に含むことを特徴とする請求項１８記載の液晶表示装置。
【請求項２０】
前記ランプ固定部材は、前記底部とフック結合される結合部を更に含むことを特徴とする請求項１８記載の液晶表示装置。
【請求項２１】
底部及び側部を含む収納容器、前記底部方向に開口部が向くように形成されたランプ挿入口を有する少なくとも一つのランプ固定部を含む少なくとも一つのランプ固定部材、及び前記ランプ固定部に固定される複数のランプを含むバックライトアセンブリと、
前記バックライトアセンブリから供給される光を用いて画像を表示する液晶表示パネルと、を含む液晶表示装置。
【請求項２２】
前記ランプ固定部は、前記ランプの長手方向に沿って所定距離で離隔するように形成された２個以上のランプ挿入口を含むことを特徴とする請求項２１記載の液晶表示装置。
【請求項２３】
前記バックライトアセンブリは、前記ランプの上部に配置された拡散板を更に含み、
前記ランプ固定部材は、前記拡散板を支持する拡散板支持部を更に含むことを特徴とする請求項２１記載の液晶表示装置。
【請求項２４】
前記ランプ固定部材は、前記ランプ固定部が前記底部と所定距離で離隔するように前記底部と結合される結合部を更に含むことを特徴とする請求項２１記載の液晶表示装置。
【請求項２５】
前記ランプ固定部材は、透明な材質からなることを特徴とする請求項２１記載の液晶表示装置。
【発明の詳細な説明】
【技術分野】
【０００１】
本発明はバックライトアセンブリ及びこれを有する液晶表示装置に関し、より詳細には、ランプの耐衝撃性を向上させることができるバックライトアセンブリ及びこれを有する液晶表示装置に関する。
【背景技術】
【０００２】
一般に、液晶表示装置は、液晶を用いて画像を表示する平板表示装置の一つであって、他のディスプレイ装置と比較して、薄くて軽くて、低い駆動電圧及び低い消費電力等の長所を有する。このような長所によって、液晶表示装置はノートパソコン、モニター、及びＴＶ等の多様な製品に用いられている。
【０００３】
液晶表示装置は、画像を表示するための液晶表示パネルが自体的に発光しない非発光性素子なので、液晶表示パネルに光を供給するためのバックライトアセンブリを必要とする。
【０００４】
バックライトアセンブリは、光を発生するランプを含む。ランプは細くて長い円筒形状を有する冷陰極蛍光ランプ（ＣＣＦＬ）が主に用いられる。バックライトアセンブリは、ランプの位置によって、エッジ型と直下型とに分類される。エッジ型とは、透明導光板の側面に一つ又は二つのランプを位置させて、導光板の一面を用いて光を多重反射させることによって得られた光を液晶表示パネルに出射する方式である。直下型とは、複数のランプを液晶表示パネルの直下部に位置させて、ランプの前面には拡散板を配置してランプの背面には反射板を配置して、ランプから発散された光を反射及び拡散させる方式である。従って、エッジ型はノートパソコン等の比較的サイズが小さい液晶表示装置に用いられるのに対し、直下型はＴＶ等の高輝度が要求される大型の液晶表示装置に主に用いられる。
【０００５】
直下型のバックライトアセンブリの場合、液晶表示装置のサイズが大型化されるにつれて、ランプの長さが長くなり、拡散板のサイズが大きくなる。従って、バックライトアセンブリはランプを固定しながら、拡散板を支持するランプ固定部材を更に含む。この場合、ランプ固定部材はランプの長手方向に沿って一つのランプ挿入口のみを提供するよう形成されている。
【０００６】
しかし、ランプがランプ固定部材に固定されている状態で外部から衝撃が加わる場合、ランプがランプ挿入口の開口部を通じて一時的に分離することがあり、これが再挿入されても、ランプを固定している固定部で高い応力が発生して、ランプが破損される問題点ががる。
【発明の開示】
【発明が解決しようとする課題】
【０００７】
従って、本発明はこのような従来の問題点を勘案したものであって、本発明の目的は、外部の衝撃に対してランプを安定的に固定し、ランプの破損を防止することができるバックライトアセンブリを提供することにある。
【０００８】
本発明の他の目的は、前述したバックライトアセンブリを有する液晶表示装置を提供することにある。
【課題を解決するための手段】
【０００９】
前述した本発明の目的を達成するための一特徴によるバックライトアセンブリは、収納容器、少なくとも一つのランプ固定部材、及び複数のランプを含む。前記収納容器は、底部及び側部で構成され収納空間を形成する。前記ランプ固定部材は、前記底部に結合される。前記ランプ固定部材は、前記ランプの長手方向に沿って形成された２個以上のランプ挿入口を有する少なくとも一つのランプ固定部を含む。前記複数のランプは、前記ランプ固定部材に固定される。前記バックライトアセンブリは、前記ランプの上部に配置され前記ランプから発生された光を拡散させる拡散板を更に含む。前記ランプ固定部材は、前記拡散板を支持するための拡散板支持部を更に含む。前記拡散板支持部は、前記ランプ固定部の間に配置される。前記ランプ固定部材は、前記底部との結合のための結合部を更に含む。前記結合部は、前記底部とフック結合される。
【００１０】
又、本発明の目的を達成するための他の特徴によるバックライトアセンブリは、収納容器、少なくとも一つのランプ固定部材、及び複数のランプを含む。前記収納容器は、底部及び側部で構成され収納空間を形成する。前記ランプ固定部材は、前記底部に固定される。前記ランプ固定部材は、前記底部方向に開口部が向くように形成されたランプ挿入口を有する少なくとも一つのランプ固定部を含む。前記ランプは、前記ランプ固定部材に固定される。前記バックライトアセンブリは、前記ランプの上部に配置され前記ランプから発生された光を拡散させる拡散板を更に含む。前記ランプ固定部材は、前記拡散板を支持するための拡散板支持部を更に含む。前記ランプ固定部材は、前記ランプ固定部が前記底部と所定距離で離隔するように前記底部と結合される結合部を更に含む。前記ランプ固定部材は、透明な材質で構成される。
【００１１】
前述した本発明の他の目的を達成するための一特徴による液晶表示装置は、バックライトアセンブリ、及び液晶表示パネルを含む。前記バックライトアセンブリは、底部及び側部を含む収納容器、前記底部に結合される少なくとも一つのランプ固定部材、及び前記ランプ固定部材に固定される複数のランプを含む。前記ランプ固定部材は、前記ランプの長手方向に沿って所定距離で離隔するように形成された２個以上のランプ挿入口を有する少なくとも一つのランプ固定部を含む。前記液晶表示パネルは、前記バックライトアセンブリから供給される光を用いて画像を表示する。
【００１２】
又、本発明の他の目的を達成するための他の特徴による液晶表示装置は、バックライトアセンブリ及び液晶表示パネルを含む。前記バックライトアセンブリは、底部及び側部を含む収納容器、前記底部方向に開口部が向くように形成されたランプ挿入口を有する少なくとも一つのランプ固定部を含む少なくとも一つのランプ固定部材、及び前記ランプ固定部に固定される複数のランプを含む。前記液晶表示パネルは、前記バックライトアセンブリから供給される光を用いて画像を表示する。
【００１３】
このようなバックライトアセンブリ及びこれを有する液晶表示装置によると、ランプを固定するためのランプ固定部のランプ挿入口を２個以上形成するか、あるいは挿入口をその開口部が底部方向に向くよう形成することにより、衝撃によるランプの破損を防止することができる。
【発明を実施するための最良の形態】
【００１４】
以下、添付図面を参照して、本発明の好ましい実施例をより詳細に説明する。
【００１５】
図１は、本発明の一実施例によるバックライトアセンブリを示す分解斜視図である。
【００１６】
図１を参照すると、本発明の一実施例によるバックライトアセンブリ１００は、収納容器２００、ランプ固定部材３００、及び多数のランプ４００を含む。
【００１７】
収納容器２００は、底部２１０及び底部２１０のエッジから延長して収納空間を形成する側部２２０で構成される。側部２２０は、一例として、他の構成要素との結合空間を提供しかつ結合力を向上させるために、Ｕ字形状に曲げられた構造を有する。収納容器２００は、一例として、強度に優れ変形が少ない金属で構成される。
【００１８】
ランプ固定部材３００は、ランプ４００を固定するために、収納容器２００の底部２１０に結合される。ランプ固定部材３００は、ランプ４００の個数によって少なくとも一つ以上が具備される。ランプ固定部材３００は、ランプ４００を固定するための少なくとも一つのランプ固定部３１０を含む。ランプ固定部３１０は、ランプ４００の長手方向に沿って形成された２個以上のランプ挿入口３１２を有する。このように、２個以上のランプ挿入口３１２を通じてランプ４００を固定すると、一つのランプ挿入口で固定するのと比較して、外部衝撃に対してより効果的にランプ４００を固定することができ、ランプ４００に加わる衝撃を分散させて、衝撃信頼性を大きく向上させることができる。
【００１９】
ランプ４００は、収納容器２００の底部２１０上に互いに平行に配置され、外部から印加される駆動電圧に反応して光を発生する。ランプ４００は、一例として、細くて長い円筒形状の冷陰管蛍光ランプ（ＣＣＦＬ）で構成される。ランプ４００の両端部は、ランプホルダー４１０に嵌め込まれて固定され、ランプホルダー４１０は収納容器２００に結合され固定される。ランプ４００が長くなるほど撓むか、変形する可能性が高くなるので、ランプ固定部材３００はランプ４００の中央部を安定的に固定してランプ４００の垂れ及び変形を防止する。一方、ランプ４００はＵ字形状を有することができる。又、ランプ４００は両端部に外部電極が形成された外部電極型蛍光ランプで構成されることができる。
【００２０】
バックライトアセンブリ１００は、ランプ４００の上部に配置される拡散板５００を更に含む。拡散板５００は、ランプ４００から発生した光を拡散させて光の輝度均一性を向上させる。拡散板５００は、所定厚さを有するプレート形状で構成され、ランプ４００と一定距離で離隔するように配置される。拡散板５００は、光の透過のために透明な材質で形成され、光の拡散のための拡散剤を含む。拡散板５００は、一例として、ポリメチルメタクリレート（ＰＭＭＡ）材質で形成される。
【００２１】
バックライトアセンブリ１００は、拡散板５００の上部に配置される少なくとも一つの光学シート５１０を更に含む。光学シート５１０は、拡散板５００を通じて拡散された光の経路をもう一度変更して、輝度特性を向上させる。光学シート５１０は、拡散板５００を通じて拡散された光を正面方向に集光させて、光の正面輝度を向上させるための集光シートを含むことができる。又、光学シート５１０は、拡散板５００を通じて拡散された光をもう一度拡散させるための拡散シートを含むことができる。さらに、バックライトアセンブリ１００は、要求される輝度特性によって多様な機能の光学シートを追加するか、又は除去することが可能である。
【００２２】
バックライトアセンブリ１００は、ランプ４００の両端部に対応して配置されるサイドモールド５２０を更に含むことができる。サイドモールド５２０は、ランプ４００の両端部を覆う状態で収納容器２００にそれぞれ結合される。サイドモールド５２０は、他の領域と比較して、輝度が相対的に低いランプ４００の両端部、即ち、ランプ４００の電極部領域を遮蔽して、輝度不均一を除去する。又、サイドモールド５２０は、上部に配置される拡散板５００のエッジを支持しながら、拡散板５００の収納位置を決定する。
【００２３】
図示していないが、バックライトアセンブリ１００は拡散板５００と光学シート５１０を固定するためのミドルモールドを更に含むことができる。ミドルモールドは、光学シート５１０の上部からかぶさるようにして収納容器２００と結合され、光学シート５１０のエッジを固定する。
【００２４】
図２は、図１に図示されたランプ固定部材を具体的に示す斜視図である。
【００２５】
図２を参照すると、ランプ固定部材３００は、少なくとも一つのランプ固定部３１０を含む。本実施例において、ランプ固定部材３００は３個のランプ固定部３１０を含む。ランプ固定部３１０は、ランプ４００間の離隔距離と同じ距離で離隔するように形成される。図示のものに限らず、ランプ固定部材３００は２個のランプ固定部３１０を有するか、又は４個以上のランプ固定部３１０を含むことができる。
【００２６】
それぞれのランプ固定部３１０は、ランプ４００の長手方向に沿って形成された２個以上のランプ挿入口形成部材３１２を有する。本実施例において、ランプ固定部３１０は、２個のランプ挿入口形成部材３１２を含む。２個のランプ挿入口形成部材３１２は、ランプ４００の長手方向に沿って所定距離で離隔するように形成される。例えば、２個のランプ挿入口形成部材３１２は、約２０ｍｍ〜約３０ｍｍの距離で離隔するように形成される。この寸法に限定されることなく、２個のランプ挿入口形成部材３１２を有するランプ固定部３１０を通じてランプ４００を固定すると、外部の衝撃によるランプ４００の離脱を防止して、衝撃によるランプ４００の最大応力を減少させてランプ４００の破損を防止することができる。
【００２７】
ランプ挿入口形成部材３１２の開口幅は、ランプ４００の直径によって決定される。ランプ挿入口形成部材３１２が形成する挿入口の開口幅が大きいほど、ランプ４００をランプ固定部３１０に挿入するのが容易になるが、開口幅が過度に大きくなる場合にはランプ４００が離脱しやすい。従って、ランプ挿入口形成部材３１２の開口幅は、ランプ４００の直径の約８０％〜約９０％の範囲を有することが好ましい。一例として、ランプ４００の直径が約４ｍｍである場合、ランプ挿入口形成部材３１２の開口幅は約３．３ｍｍで形成される。
【００２８】
ランプ固定部材３００は、拡散板５００を支持するための少なくとも一つの拡散板支持部３２０を更に含む。拡散板支持部３２０は、ランプ固定部３１０より高い位置に突出され、拡散板５００を支持する。拡散板５００は大型化されるほど、中央部が下方向に垂れることになる。従って、拡散板支持部３２０は、拡散板５００の垂れを防止して、ランプ固定部３１０に固定されたランプ４００と拡散板５００との間の距離を一定に維持させる。拡散板支持部３２０は、ランプ固定部３１０の間に形成される。本実施例において、拡散板支持部３２０は、３個のランプ固定部３１０の間に２個が形成される。これに限らず、拡散板支持部３２０の形成位置及び個数は多様に変化させることができる。
【００２９】
ランプ固定部材３００は、収納容器２００との結合のための少なくとも一つの結合部３３０を更に含む。結合部３３０は、ランプ固定部３１０及び拡散板支持部３２０とは反対の側に形成される。本実施例において、結合部３３０は拡散板支持部３２０に対応する位置に２個が形成される。これに限らず、結合部３３０の形成位置及び個数は、多様に変化させることができる。結合部３３０は、収納容器２００の底部２１０に結合され、ランプ固定部材３００を収納容器２００に固定する。一例として、結合部３３０は収納容器２００の底部２１０にフック結合される。
【００３０】
図３は、図１に図示されたバックライトアセンブリの組み立てられた状態の断面を示す断面図である。
【００３１】
図３を参照すると、ランプ固定部材３００はランプ４００を固定し、拡散板５００を支持するために収納容器２００の底部２１０に結合される。
【００３２】
ランプ４００は、ランプ挿入口形成部材３１２を通じてランプ固定部３１０に固定され、底部２１０の上部に互いに平行に配置される。
【００３３】
拡散板５００及び光学シート５１０は、ランプ４００の上部に順次に配置される。拡散板５００は、拡散板支持部３２０によって支持され、ランプ４００と一定距離を維持することになる。
【００３４】
バックライトアセンブリ１００は、収納容器２００とランプ４００との間に配置された反射板５３０を更に含む。反射板５３０は、ランプ４００から発生された光を拡散板５００方向に反射させて、光の利用効率を向上させる。反射板５３０は、一例として、底部２１０に付着され固定される。
【００３５】
反射板５３０及び収納容器２００の底部２１０は、ランプ固定部材３００の結合部３３０に対応した位置に開口を有する。結合部３３０は、反射板５３０及び底部２１０の開口領域を貫通した後、底部２１０とフック結合される。
【００３６】
図４は、図１に図示された収納容器、ランプ固定部材、及びランプの結合関係を示す平面図である。
【００３７】
図４を参照すると、ランプ固定部材３００は、ランプ４００の長手方向と垂直な方向に沿ってジグザグ形態で配置される。ランプ固定部材３００が一直線上に配置される場合、ランプ固定部材３００が位置した領域のみが暗く見える暗線等の品質不良が発生する可能性がある。従って、暗線等の品質不良を除去するために、ランプ固定部材３００は、一直線上に配置されないようにジグザグ形態で配置されることが好ましい。
【００３８】
本実施例において、それぞれのランプ４００は一つのランプ固定部材３００によって固定される。しかし、ランプ４００の長さがより長くなる場合、ランプ固定部材３００の個数をより増加させて、それぞれのランプ４００は長手方向に沿って一定距離以上で離隔された２個以上のランプ固定部材３００によって固定されることができる。この場合にも、ランプ固定部材３００はランプ４００の長手方向と垂直な方向に沿ってジグザグ形態で配置される。
【００３９】
図５は、本発明の他の実施例によるバックライトアセンブリを示す断面図であり、図６は、図５に図示されたランプ固定部材を具体的に示す斜視図である。本実施例において、ランプ固定部材を除いた残りの構成要素は、図１乃至図４に図示されたものと同じ構成を有するので、同じ構成要素には同じ参照番号を付与して、その重複説明は省略する。
【００４０】
図５及び図６を参照すると、本発明の他の実施例によるバックライトアセンブリ６００はランプ４００を固定し、拡散板５００を支持するランプ固定部材６１０を含む。
【００４１】
それぞれのランプ固定部材６１０は、ランプ４００を固定するための少なくとも一つのランプ固定部６１２を含む。本実施例において、ランプ固定部材６１０は３個のランプ固定部６１２を含む。ランプ固定部６１２は、ランプ４００間の離隔距離と同じ距離で離隔するように形成される。これに限らず、ランプ固定部材６１０は、２個のランプ固定部６１２を有するか、又は４個以上のランプ固定部６１２を含むようにすることができる。
【００４２】
それぞれのランプ固定部６１２は、ランプ４００の挿入のためのランプ挿入口形成部材６１４を有する。本実施例において、ランプ挿入口形成部材６１４は、それが形成する挿入口の開口部が収納容器２００の底部２１０方向に面するよう形成される。ランプ固定部６１２は、ランプ挿入口形成部材６１４が形成する挿入口が底部２１０と所定距離で離隔するように配置される。従って、ランプ４００は、ランプ固定部６１２の下からランプ挿入口の開口部を通じてランプ挿入口に入れられることによりランプ固定部６１２に結合される。このように、ランプ挿入口の開口部を底部２１０方向に向くよう形成すると、ランプ固定部６１２に結合されたランプ４００が垂直方向に加わる衝撃によってランプ固定部６１２から上部方向に離脱することを完全に防止することができる。
【００４３】
ランプ固定部材６１０は、拡散板５００を支持するための少なくとも一つの拡散板支持部６１６を更に含む。拡散板支持部６１６は、ランプ固定部６１２とは反対方向に形成され、拡散板５００を支持する。拡散板支持部６１６は、拡散板５００の垂れを防止して、ランプ固定部６１２に固定されたランプ４００と拡散板５００との間の距離を一定に維持させる。拡散板支持部６１６は、ランプ固定部６１２の間に形成される。本実施例において、拡散板支持部６１６は、３個のランプ固定部６１２の間に２個が形成される。これに限らず、拡散板支持部６１６の形成位置及び個数は、多様に変化させることができる。
【００４４】
ランプ固定部材６１０は、収納容器２００との結合のための少なくとも一つの結合部６１８を更に含む。結合部６１８は、拡散板支持部３２０と反対の側に形成され、ランプ固定部６１２が底部２１０と所定距離で離隔するように底部２１０に結合される。結合部６１８は、拡散板支持部６１６に対応する位置に形成される。これに限らず、結合部６１８の形成位置及び個数は、多様に変形させることができる。結合部６１８は収納容器２００の底部２１０に結合され、ランプ固定部材６１０を収納容器２００に固定する。一例として、結合部６１８は、収納容器２００の底部２１０にフック結合される。
尚、図面には示していないが、ランプ固定部材６１０が図５において取り付けられた状態からさらに下方に移動しないよう、ランプ固定部材と収納容器が相互に係合する部分が存在する。
【００４５】
本実施例において、ランプ４００はランプ固定部材６１０の下部で結合されるので、ランプ４００の上部領域は、ランプ固定部材６１０によって遮られる。従って、ランプ固定部材６１０は、ランプ４００から発生された光が遮断されないように、透明な材質で形成される。例えば、ランプ固定部材６１０は、透明なポリカボネート（ＰＣ）材質で形成される。
【００４６】
図７は、本発明の更に他の実施例によるランプ固定部材を示す斜視図である。
【００４７】
図７を参照すると、本発明の更に他の実施例によるランプ固定部材６２０は、ランプ４００を固定するための少なくとも一つのランプ固定部６２２を含む。一例として、ランプ固定部材６２０は、３個のランプ固定部６２２を含む。ランプ固定部６２２は、ランプ４００間の離隔距離と同じ距離で離隔するように形成される。これに限らず、ランプ固定部材６２０は２個のランプ固定部６２２を有するか、４個以上のランプ固定部６２２を含むようにすることができる。
【００４８】
それぞれのランプ固定部６２２は、ランプ４００の挿入のために、ランプ４００の長手方向に沿って形成された２個のランプ挿入口形成部材６２４を有し、それぞれのランプ挿入口形成部材６２４はそれが形成する挿入口の開口部が挿入容器２００の底部２１０方向に向くよう形成される。２個のランプ挿入口形成部材６２４は、ランプ４００の長手方向に沿って所定距離で離隔するように形成される。例えば、２個のランプ挿入口形成部材６２４は、約２０ｍｍ〜約３０ｍｍの距離で離隔するように形成される。従って、ランプ４００は、ランプ固定部６２２の下から２個のランプ挿入口形成部材６２４の開口部を通じてランプ固定部６２２に結合される。このように、２個のランプ挿入口形成部材６２４を底部２１０方向に向け形成すると、ランプ４００をより安定的に固定することができ、外部の衝撃によってランプ４００が離脱するか、破損されることを防止することができる。
【００４９】
ランプ固定部材６２０は、拡散板５００を支持するための少なくとも一つの拡散板支持部６２６を更に含む。拡散板支持部６２６は、ランプ固定部６２２と反対方向に形成され拡散板５００を支持し、ランプ固定部６２２に固定されたランプ４００と拡散板５００との間の距離を一定に維持させる。拡散板支持部６２６は、ランプ固定部６２２の間に形成される。これに限らず、拡散板支持部６２６の形成位置及び個数は多様に変化させることができる。
【００５０】
ランプ固定部材６２０は、収納容器２００との結合のための少なくとも一つの結合部６２８を更に含む。結合部６２８は、拡散板支持部６２６と反対の方向に形成され、ランプ固定部６２２が底部２１０と所定距離で離隔するように底部２１０に結合される。一例として、結合部６２８は収納容器２００の底部２１０にフック結合される。結合部６２８は、拡散板支持部６２６に対応する位置に形成される。これに限らず、結合部６２８の形成位置及び個数は多様に変化させることができる。
【００５１】
ランプ固定部材６２０はランプ４００の上部領域を遮ることになるので、ランプ４００から発生された光が遮断されないように透明な材質で形成される。例えば、ランプ固定部材６２０は、透明なポリカボネート（ＰＣ）材質からなる。
【００５２】
図８は、本発明の一実施例による液晶表示装置を示す分解斜視図である。
【００５３】
図８を参照すると、本発明の一実施例による液晶表示装置７００は、光を供給するためのバックライトアセンブリ１００及び画像を表示するためのディスプレイユニット８００を含む。
【００５４】
バックライトアセンブリ１００は、図１に図示されたものと同じ構造を有するので、同じ構成要素には同じ参照番号を付与し、その重複説明は省略する。又、ランプ固定部材３００は、図２、図６、及び図７に図示されたものが同じ構造を有することができる。
【００５５】
ディスプレイユニット８００は、バックライトアセンブリ１００から供給される光を用いて画像を表示する液晶表示パネル８１０及び液晶表示パネル８１０を駆動するための駆動回路部８２０を含む。
【００５６】
液晶表示パネル８１０は、第１基板８１２、第１基板８１２と対向するように結合される第２基板８１４、及び第１基板８１２と第２基板８１４との間に介在された液晶層８１６を含む。
【００５７】
第１基板８１２は、スイッチング素子である薄膜トランジスタ（以下、ＴＦＴ）がマトリックス形態で形成された基板である。一例として、第１基板８１２はガラス材質からなる。前記ＴＦＴのソース端子及びゲート端子には、それぞれデータライン及びゲートラインが連結され、ドレイン端子には透明な導電性材質からなる画素電極が連結される。
【００５８】
第２基板８１４は、色を具現するためのＲＧＢ画素が薄膜形態で形成された基板である。第２基板８１４は、一例として、ガラス材質からなる。第２基板８１４には、透明な導電性材質からなる共通電極が形成される。
【００５９】
このような構成を有する液晶表示パネル８１０は、前記ＴＦＴのゲート端子に電圧が印加されＴＦＴがターンオンされると、画素電極と共通電極との間に電界が形成される。このような電界によって第１基板８１２と第２基板８１４との間に介在された液晶層８１６の配列が変化され、液晶層８１６の配列変化によってバックライトアセンブリ１００から供給される光の透過度が変更され、所望する諧調の画像を表示することになる。
【００６０】
駆動回路部８２０は、液晶表示パネル８１０にデータ駆動信号を供給するデータ印刷回路基板８２２、液晶表示パネル８１０にゲート駆動信号を供給するゲート印刷回路基板８２４、データ印刷回路基板８２２を液晶表示パネル８１０に連結するデータフレキシブル回路フィルム８２６、及びゲート印刷回路基板８２４を液晶表示パネル８１０に連結するゲートフレキシブル回路フィルム８２８を含む。データフレキシブル回路フィルム８２６及びゲートフレキシブル回路フィルム８２８は、例えば、テープキャリアパッケージ（ＴＣＰ）又はチップオンフィルム（ＣＯＦ）でなされる。
【００６１】
データ印刷回路基板８２２は、データフレキシブル回路フィルム８２６の曲げによって収納容器２００の側面又は背面の外側に沿うように配置され、ゲート印刷回路基板８２４はゲートフレキシブル回路フィルム８２８の曲げによって収納容器２００の側面又は背面の外側に沿うように配置される。尚、ゲート印刷回路基板８２４は、液晶表示パネル８１０及びゲートフレキシブル回路フィルム８２８に別の信号配線を形成することによって除去することができる。
【００６２】
液晶表示装置７００は、光学シート５１０と液晶表示パネル８１０との間に配置されるミドルモールド９１０を更に含むことができる。ミドルモールド９１０は、光学シート５１０及び拡散板５００を固定すると共に液晶表示パネル８１０を支持する。ミドルモールド９１０は、フレーム形状の一体形部材として形成される。これに限らず、ミドルモールド９１０は、「コ」字形状の２個の部片に分割された構造を有することができる。又、ミドルモールド９１０は、さらに「コ」字を対称に分割した形状の４個の部片に分割された構造を有することができる。
【００６３】
液晶表示装置７００は、ディスプレイユニット８００を固定するためのトップシャーシ（枠）９２０を更に含むことができる。トップシャーシ９２０は、液晶表示パネル８１０のエッジを囲みながら収納容器２００と結合され、液晶表示パネル８１０をミドルモールド９１０の上部に固定する。トップシャーシ９２０は、外部衝撃による液晶表示パネル８１０の破損を防止し、液晶表示パネル８１０がミドルモールド９１０から離脱することを防止する。トップシャーシ９２０は、フレーム形状の一体形部材として形成される。これに限らず、トップシャーシ９２０は、「コ」字形状の２個の部片、又は「コ」字を対称に分割した形状の４個の部片に分割された構造を有することができる。
【産業上の利用可能性】
【００６４】
このようなバックライトアセンブリ及びこれを有する液晶表示装置によると、ランプを固定するためのランプ固定部のランプ挿入口を２個以上形成することにより、外部の衝撃によるランプの離脱を防止し、衝撃に対するランプの最大応力を減少させてランプの破損を防止することができる。
【００６５】
又、ランプ固定部のランプ挿入口を底部方向に形成することにより、垂直方向に加わる衝撃によってランプが離脱することを完全に防止することができる。
【００６６】
以上、本発明の実施例によって詳細に説明したが、本発明はこれに限定されず、本発明が属する技術分野において通常の知識を有するものであれば本発明の思想と精神を離れることなく、本発明を修正または変更できる。
【図面の簡単な説明】
【００６７】
【図１】本発明の一実施例によるバックライトアセンブリを示す分解斜視図である。
【図２】図１に図示されたランプ固定部材を具体的に示す斜視図である。
【図３】図１に図示されたバックライトアセンブリの結合された断面を示す断面図である。
【図４】図１に図示された収納容器、ランプ固定部材、及びランプの結合関係を示す平面図である。
【図５】本発明の他の実施例によるバックライトアセンブリを示す断面図である。
【図６】図５に図示されたランプ固定部材を具体的に示す斜視図である。
【図７】本発明の更に他の実施例によるランプ固定部材を示す斜視図である。
【図８】本発明の一実施例による液晶表示装置を示す分解斜視図である。
【符号の説明】
【００６８】
１００    バックライトアセンブリ
２００    収納容器
３００    ランプ固定部材
３１０    ランプ固定部
３１２    ランプ挿入口形成部材
３２０    拡散板支持部
３３０    結合部
４００    ランプ
５００    拡散板
５１０    光学シート
５２０    サイドモールド
５３０    反射板
７００    液晶表示装置
８００    ディスプレイユニット
８１０    液晶表示パネル
９１０    ミドルモールド
９２０    トップシャーシ
【図１】
2006185889.tif 000003
【図２】
2006185889.tif 000004
【図３】
2006185889.tif 000005
【図４】
2006185889.tif 000006
【図５】
2006185889.tif 000007
【図６】
2006185889.tif 000008
【図７】
2006185889.tif 000009
【図８】
2006185889.tif 000010